(57)【特許請求の範囲】
【請求項１】
内部に粘着面１３が形成され、かつ側面にゴキブリの侵入口１２ｊが開口された小箱状の粘着捕獲手段１２を、剥離自在な剥離紙２ｂで覆れた粘着面２を内底面に形成した捕獲器本体１内に、個々に着脱できるよう、複数段積み重ねて収納すると共に、上記捕獲器本体１の側面に、直接、上記各段の粘着捕獲手段１２の侵入口１２ｊへ通じる侵入路１ｋ，１ｐをそれぞれ形成し、捕獲器本体１内より取出した粘着捕獲手段１２を、捕獲器本体１と別の場所へ設置することにより、個々の粘着捕獲手段１２を捕獲器本体１と別個の捕獲器として利用できるようにしたことを特徴とするゴキブリ捕獲器。
【発明の詳細な説明】
【０００１】
【発明の属する技術分野】
この発明は着脱自在な複数段の粘着捕獲手段を有するゴキブリ捕獲器に関する。
【０００２】
【従来の技術】
従来この種のゴキブリ捕獲器としては、例えば特開平１０−１０８６０７号公報に記載されたものが公知である。
上記公報のゴキブリ捕獲器は、粘着面が形成された床板を、上下に間隔をあけて複数段内箱内に設け、この内箱を外箱内へ着脱自在に収容したもので、粘着面を有する床板を内箱内に複数段設けることにより、大面積の粘着面が得られるため、長期間交換などの補修が必要ないと共に、捕獲効率も向上するなどの効果を有している。
【０００３】
【発明が解決しようとする課題】
しかし上記公報のゴキブリ捕獲器では、粘着面を有する床板を内箱内に複数段設けた構成のため、次のような不具合がある。
（１）内箱内より床板を取外して、床板を内箱や外箱と独立した捕獲器として使用することができないため、広範囲に棲息するゴキブリを効率よく捕獲できない。
（２）内箱内に床板を複数段設けることにより内箱が大きくなるため、隙間などの狭い場所に設置して使用することができない。
（３）ゴキブリが粘着した床板を内箱より取り出して処分する際、手などにゴキブリが触れることがあるため、不衛生であると同時に、粘着面が他の物に粘着しないよう紙などに包んで処分しなければならないため、手間がかかる。
（４）内箱を取り外した外箱には捕獲器としての機能がないため、内箱を処分する際、外箱も処分しなければならず不経済である。
【０００４】
この発明はかかる従来の不具合を改善するためになされたもので、捕獲器本体内に複数段積み重ねて収容された小箱状の粘着捕獲手段を、捕獲器本体内より取出すことにより、単独の捕獲器として利用できるゴキブリ捕獲器を提供することを目的とするものである。
【０００５】
【課題を解決するための手段】
上記目的を達成するため請求項１記載の発明は、内部に粘着面が形成され、かつ側面にゴキブリの侵入口が開口された小箱状の粘着捕獲手段を、剥離自在な剥離紙で覆れた粘着面を内底面に形成した捕獲器本体内に、個々に着脱できるよう、複数段積み重ねて収納すると共に、上記捕獲器本体の側面に、直接、上記各段の粘着捕獲手段の侵入口へ通じる侵入路をそれぞれ形成し、捕獲器本体内より取出した粘着捕獲手段を、捕獲器本体と別の場所へ設置することにより、個々の粘着捕獲手段を捕獲器本体と別個の捕獲器として利用できるようにしたものである。
【０００６】
上記構成により、捕獲器本体内に収納した複数段の粘着捕獲手段により、一定床積当りの捕獲可能粘着面積を自由に増すことができるため、狭い場所でも多数のゴキブリを捕獲することができると共に、侵入路が粘着捕獲手段の外側にあるため、粘着捕獲手段の内部構造がゴキブリの侵入に影響を及ぼすことが少なく、これによって捕獲率が向上する。
【０００７】
また粘着捕獲手段の一部がゴキブリで一杯になって粘着スペースがなくなった場合は、その粘着捕獲手段のみを捕獲器本体内より取出して、新たな粘着捕獲手段と交換することにより、引き続き使用することができると共に、小箱状の粘着捕獲手段の内部に粘着面が形成されているため、ゴキブリの粘着した粘着捕獲手段を処分する際、ゴキブリに手などが触れることがない上、紙などに包んで捨てる必要がないため、処分も容易である。
【０００９】
また捕獲器本体より粘着捕獲手段を取出して、捕獲器本体と別の場所に設置することができるため、ゴキブリの多い場所に設置する場合は、粘着捕獲手段を捕獲器本体内に収納し、ゴキブリの少ない場所には粘着捕獲手段をばらまいて設置するなど、場所に応じた使い分けができると共に、捕獲器本体が設置できない隙間などには、粘着捕獲手段のみを設置することも可能となる。
【００１１】
また使用済となった粘着捕獲手段を捕獲器本体内より全部取り出したり、粘着捕獲手段を捕獲器本体と別に設置するため、捕獲器本体内より全部取り出した場合に、捕獲器本体の内底面に設けた粘着面の剥離紙を剥離することにより、捕獲器本体がゴキブリ捕獲器として使用することができる。
【００１２】
【発明の実施の形態】
この発明の第１の実施の形態を図１ないし図７を参照して詳述する。
図１はゴキブリ捕獲器の組立て状態の斜視図、図２は図１のＡ−Ａ線に沿う断面図、図３は捕獲器本体の展開図、図４は捕獲器本体の組立て過程の斜視図、図５は粘着捕獲手段の組立て状態の斜視図、図６は同展開図、図７は同組立て過程の斜視図である。
【００１３】
これら図において１は捕獲器本体で、使用状態では図１に示すように長方体状の箱形となっており、全体が紙などのシート材により形成されている。
上記捕獲器本体１の使用前は図３に示すように展開状態にあって、底板１ａ上に粘着面２がほぼ一杯に設けられており、粘着面２の両端側には、組立て時接着片１ｎを接着する粘着面２ａが上記粘着面２と別に設けられていて、これら粘着面２，２ａは、剥離自在な剥離紙２ｂにより覆われている。
【００１４】
上記底板１ａの両側には両側板１ｂが谷折り線３を介して連設されており、一方の側板１ｂには谷折り線４を介して上面板１ｃが、そして他方の側板１ｂには谷折り線５を介して幅狭な上面板１ｄがそれぞれ連設されており、上面板１ｃには谷折り線６を介して舌片１ｅが、そして側板１ｂと上面板１ｄの連設部には、上記舌片１ｅを挿入するスリット１ｆが形成されている。
【００１５】
また底板１ａの両端部には、谷折り線７，８を介して端板１ｇ，１ｈが上下２段に設けられており、下側の端板１ｇには、谷折り線７に弦が位置するように半月状の侵入口１ｉが開口され、上側の端板１ｈには、谷折り線８に弦が位置するよう半月状の切込み１ｊが形成されており、切込み１ｊより侵入路１ｋが折り起せるようになっている。
そして上側の端板１ｈには谷折り線９を介して一対の脚部１ｍが連設されていて、これら脚部１ｍ間には、上記粘着面２ａに接着する接着片１ｎが谷折り線１０を介して連設されていると共に、端板１ｈの端部には、脚部１ｍ間の侵入口１ｏに突出する半月状の侵入路１ｐが突設されている。
【００１６】
一方図５ないし図７は上記捕獲器本体１内に着脱自在に収容する粘着捕獲手段１２を示すもので、紙などのシート材により形成された偏平な箱形をなしており、捕獲器本体１内に複数個、例えば３個重ねて収納できるようになっている。
上記粘着捕獲手段１２は、図６に示すように捕獲器本体１の底板１ａに設けられた粘着面２とほぼ同じ大きさの底板１２ａを有していて、この底板１２ａ上にほぼ一杯に粘着面１３が形成されており、粘着面１３の上面は剥離自在な剥離紙１３ａにより覆われている。
【００１７】
上記底板１２ａの両側には谷折り線１５を介して両側板１２ｂが連設され、両側板１２ｂの一方には、谷折り線１６を介して上面板１２ｃが連設されており、他方の側板１２ｂには、谷折り線１７を介して舌片１２ｄが連設されていると共に、上記上面板１２ｃには谷折り線１８を介して側板１２ｅが連設されていて、この側板１２ｅと上面板１２ｃの連設部に、上記舌片１２ｄを挿入するスリット１２ｆが形成されている。
【００１８】
また上記両側板１２ｂの一方の端部と、側板１２ｅの端部には、底板１２ａの両端に谷折り線１９を介して連設された侵入路１２ｇを所定の角度に保持する保持片１２ｈが谷折り線２０を介して連設されており、これら保持片１２ｈには、侵入路１２ｇを係止する切欠き１２ｉが形成されている。
【００１９】
次に上記構成されたゴキブリ捕獲器の作用を説明する。
ゴキブリ捕獲器の使用前は、捕獲器本体１及び粘着捕獲手段１２とも図３及び図６に示すように展開状態にあり、これによって輸送したり、保管する場合に嵩ばることがない。
【００２０】
次に使用に当っては、まず捕獲器本体１の谷折り線７，８を谷折りして端板１ｇ，１ｈを折り起し、さらに谷折り線９，１０を谷折りして脚部１ｍを折り起したら、脚部１ｍに連設された接着片１ｎを底板１ａ上面の粘着面２ａに接着して、図４に示すように底板１ａ両端に端板１ｇ，１ｈを立ち上げる。
これら端板１ｇ，１ｈの高さは、予め脚部１ｍより高さを高くしてあるため、組立てることにより端板１ｇ，１ｈが２段に傾斜し、かつ端板１ｇ，１ｈに連設された侵入路１ｋ，１ｐが捕獲器本体１内へ突出するので、端板１ｇ側の侵入路１ｋは、図２に示すように捕獲本体１内に収容する粘着捕獲手段１２の２段目の侵入口１２ｊに達するように角度を調整する。
【００２１】
以上のようにして端板１ｇ，１ｈを組立てたら、谷折り線３，５を谷折りして、両側板１ｂと上面板１ｃを立ち上げ、図４に示す状態にする。
【００２２】
次に粘着捕獲手段１２を組立てるには、まず谷折り線１５を谷折りして両側板１２ｂを折り起し、次に谷折り線１６，１８谷折りしたら、谷折り線２０より保持片１２ｈを谷折りして内側へ折り曲げる。
そしてこの状態で谷折り線１９を谷折りして侵入路１２ｇを底板１２ａの上方へ傾斜させたら、保持片１２ｈの切欠き１２ｉを図７に示すように侵入路１２ｇに係止させて、侵入路１２ｇを所定の角度に保持する。
その後、粘着面１３の剥離紙１３ａを剥離したら、舌片１２ｄをスリット１２ｆに挿入して、図５に示すように粘着捕獲手段１２を偏平な箱状に組立てるもので、両端部に侵入口１２ｊが開口されると共に、侵入口１２ｊの下辺には、傾斜する侵入路１２ｇが形成される。
【００２３】
以上のようにして粘着捕獲手段１２を複数個組立てたら、粘着面２の剥離紙２ｂを剥離しない状態で、捕獲器本体１内に粘着捕獲手段１２を重ねて例えば３段収納し、上面板１ｃの舌片１ｅをスリット１ｆに挿入して、捕獲器本体１を図１に示すように組立てる。
これによって捕獲器本体１内は、図２に示すように複数段に亘って粘着面１３が形成されるため、侵入口１ｉ及び侵入路１ｋ，１ｐより侵入したゴキブリは、各段の粘着面１３に粘着されて捕獲される。
【００２４】
また例えば２段目の粘着捕獲手段１２の粘着面１３に集中的にゴキブリが捕獲されて、粘着面１３に粘着の余地がなくなった場合は、捕獲器本体１の上面板１ｃを開放して、２段目の粘着捕獲手段１２を新しいものと交換することにより、再び使用可能になると共に、粘着捕獲手段１２がなくなった場合は、捕獲器本体１の底面に設けた粘着面２の剥離紙２ｂを剥離することにより、捕獲器本体１のみでも使用が可能になる。
【００２５】
なおゴキブリの捕獲率を上げるため、粘着捕獲手段１２の粘着面１３に予めゴキブリの好むエサなどを置いてもよい。
以上は捕獲器本体１内に粘着捕獲手段１２を複数段積み重ねて収納した状態で使用する場合であるが、広範囲に棲息するゴキブリを効率よく捕獲する場合は、捕獲器本体１内より粘着捕獲手段１２を取出して、捕獲器本体１と別の場所に粘着捕獲手段１２をばらまいて設置する。
【００２６】
すなわち、ゴキブリが狭い範囲に多数棲息する場合は、捕獲器本体１内に複数の粘着捕獲手段１２を収納して使用し、ゴキブリの少ない場所では、捕獲器本体１と別個に粘着捕獲手段１２を設置するなど、消費者が使用方法を自由に選択できると共に、粘着捕獲手段１２をばらまき設置することにより、広い範囲に棲息するゴキブリを効率よく捕獲することができるようになる。
【００２７】
なお上記実施の形態では、展開された状態の粘着捕獲手段１２を小箱状に組立てて使用する場合について説明したが、小箱状に組立てられた状態で粘着捕獲手段１２を販売して、消費者が組立てる手間を省いてもよい。
また捕獲器本体１の両側板１ｂ及び粘着捕獲手段１２の両側板１２ｂにも、ゴキブリの侵入口を開口したり、侵入路を形成しても勿論よい。
【００２８】
【発明の効果】
この発明は以上詳述したように、内部に粘着面を有する小箱状の粘着捕獲手段を、捕獲器本体内に個々に着脱できるよう複数段積み重ねて収納したことから、一定床積当りの捕獲可能粘着面積を自由に増すことができるため、狭い場所でも多数のゴキブリを捕獲することができると共に、侵入路が粘着捕獲手段の外側にあるため、粘着捕獲手段の内部構造がゴキブリの侵入に影響を及ぼすことが少なく、これによって捕獲率が向上する。
【００２９】
また粘着捕獲手段の一部がゴキブリで一杯になって粘着スペースがなくなった場合は、その粘着捕獲手段のみを捕獲器本体内より取出して、新たな粘着捕獲手段と交換することにより、引き続き使用することができると共に、小箱状の粘着捕獲手段の内部に粘着面が形成されているため、ゴキブリの粘着した粘着捕獲手段を処分する際、ゴキブリに手などが触れることがない上、紙などに包んで捨てる必要がないため、処分も容易である。
【００３０】
さらに、捕獲器本体より粘着捕獲手段を取出して、捕獲器本体と別の場所に設置することができるため、ゴキブリの多い場所に設置する場合は、粘着捕獲手段を捕獲器本体内に収納し、ゴキブリの少ない場所には粘着捕獲手段をばらまいて設置するなど、場所に応じた使い分けができ、これによって狭い範囲から、広い範囲にまで棲息するゴキブリを効率よく捕獲することができると共に、捕獲器本体が設置できない狭い隙間などには、捕獲器本体より粘着捕獲手段を取出して、粘着捕獲手段のみを隙間などに設置することができるため、設置する場所に制限を受けることが少ない。
【００３１】
さらに捕獲器本体の内底面に、剥離自在な剥離紙で覆れた粘着面を形成したことから、使用済となった粘着捕獲手段を捕獲器本体内より全部取り出したり、粘着捕獲手段を捕獲器本体と別に設置するため、捕獲器本体内より全部取り出した場合に、捕獲器本体の内底面に設けた粘着面の剥離紙を剥離することにより、捕獲器本体がゴキブリ捕獲器として使用することができるため、経済的である。
【図面の簡単な説明】
【図１】この発明の実施の形態になるゴキブリ捕獲器の組立て状態の斜視図である。
【図２】図１のＡ−Ａ線に沿う断面図である。
【図３】この発明の実施の形態になるゴキブリ捕獲器を構成する捕獲器本体の展開図である。
【図４】この発明の実施の形態になるゴキブリ捕獲器を構成する捕獲器本体の組立て過程の斜視図である。
【図５】この発明の実施の形態になるゴキブリ捕獲器を構成する粘着捕獲手段の組立て状態の斜視図である。
【図６】この発明の実施の形態になるゴキブリ捕獲器を構成する粘着捕獲手段の展開図である。
【図７】この発明の実施の形態になるゴキブリ捕獲器を構成する粘着捕獲手段の組立て過程の斜視図である。
【符号の説明】
１…捕獲器本体、１ｉ…侵入口、２…粘着面、２ｂ…剥離紙、１２…粘着捕獲手段、１２ｊ…侵入口、１３…粘着面。
【図１】
0004392698.tif 000002
【図２】
0004392698.tif 000003
【図３】
0004392698.tif 000004
【図４】
0004392698.tif 000005
【図５】
0004392698.tif 000006
【図６】
0004392698.tif 000007
【図７】
0004392698.tif 000008